(57)【特許請求の範囲】
【請求項１】
事象発生位置の情報及び前記事象発生位置の情報が自車に提供される複数の情報提供位置又はエリアの情報、を含むコンテンツ情報を受信する受信手段と、
前記受信したコンテンツ情報を記憶する記憶手段と、
前記記憶手段に記憶したコンテンツ情報を前記情報提供位置及びエリアにおいて再生手段に再生させるか否かを制御する制御手段と、
を備え、
前記コンテンツ情報はその有効期限の情報をさらに含み、
前記制御手段は、前記複数の情報提供位置及びエリアのうちの一の情報提供位置又はエリアに自車が到達したときに前記コンテンツ情報が有効期限内であるか否かを判断し、前記有効期限内であると判断した場合には、前記コンテンツ情報の情報提供者の情報に基づいて前記コンテンツ情報が民間サービスの提供によるものか否かを判断し、民間サービスの提供によるものではないと判断した場合には前記コンテンツ情報を前記再生手段により再生させ、民間サービスの提供によるものであると判断した場合には前記コンテンツ情報の前回の再生からの経過時間又は前記コンテンツ情報の今までの再生回数に基づいて、前記再生手段による前記コンテンツ情報の再生が行われないように制御することを特徴とするナビゲーション装置。
【請求項２】
地図画面を表示する表示手段をさらに備え、
前記制御手段は、前記地図画面が更新された場合、前記コンテンツ情報が民間サービスの提供によるものではない場合には前記事象発生位置の情報を前記表示手段により前記地図画面上に表示させ、前記コンテンツ情報が民間サービスの提供によるものである場合には前記コンテンツ情報の前回の再生からの経過時間又は前記コンテンツ情報の今までの再生回数に基づいて、前記表示手段による前記事象発生位置の情報の前記地図画面上への表示を行うか否かを制御することを特徴とする請求項１記載のナビゲーション装置。
【請求項３】
事象発生位置の情報、前記事象発生位置の情報が自車に提供される複数の情報提供位置又はエリアの情報、及び有効期限の情報を含むコンテンツ情報を受信する受信ステップと、
前記受信したコンテンツ情報を記憶する記憶ステップと、
前記複数の情報提供位置及びエリアのうちの一の情報提供位置又はエリアに自車が到達したときに、前記コンテンツ情報が有効期限内であるか否かを判断し、前記有効期限内であると判断した場合には、前記コンテンツ情報の情報提供者の情報に基づいて前記コンテンツ情報が民間サービスの提供によるものか否かを判断し、民間サービスの提供によるものではないと判断した場合には前記コンテンツ情報を再生し、民間サービスの提供によるものであると判断した場合には前記コンテンツ情報の前回の再生からの経過時間又は前記コンテンツ情報の今までの再生回数に基づいて、前記コンテンツ情報の再生を行わないように制御する再生制御ステップと、
を含むことを特徴とする再生制御方法。
【請求項４】
前記再生制御ステップの後に、地図画面が更新された場合、前記コンテンツ情報が民間サービスの提供によるものではない場合には前記事象発生位置の情報を前記地図画面上に表示し、前記コンテンツ情報が民間サービスの提供によるものである場合には前記コンテンツ情報がすでに再生されたか否かを判断し、前記コンテンツ情報が再生されてないと判断した場合には前記事象発生位置の情報を前記地図画面上に表示し、前記コンテンツ情報がすでに再生されたと判断した場合には前記コンテンツ情報の前回の再生からの経過時間又は前記コンテンツ情報の今までの再生回数に基づいて、前記表示手段による前記事象発生位置の情報の前記地図画面上への表示を行うか否かを制御する表示制御ステップをさらに含むことを特徴とする請求項３記載の再生制御方法。
【発明の詳細な説明】
【技術分野】
【０００１】
本発明は、ナビゲーション装置及び再生制御方法に関する。
【背景技術】
【０００２】
従来、ナビゲーション装置等の車載器においては、路側無線装置を介してサーバ等の情報提供装置と接続し、情報提供装置から音声データや表示データ等のコンテンツ情報を取得する機能を備えたものが知られている。
【０００３】
情報提供装置から受信されるコンテンツ情報には、受信した後１秒以内にナビゲーション装置側で提供される即時型情報と、事象発生位置や情報提供位置の位置情報を含み、車両が情報提供位置に到達した際に提供される蓄積型情報と、が存在する。即時型情報のような一時的な情報は、例えば、特許文献１に記載されているように、揮発性メモリに記憶され、再生された後、メモリから削除されている。一方、蓄積型情報は、不揮発性メモリに記憶され、情報提供位置に到達して再生された後、メモリから削除されている。
【特許文献１】特開２００３−２５６９８４号公報
【発明の開示】
【発明が解決しようとする課題】
【０００４】
ところで、蓄積型情報としては、例えば、民間サービスによる広告情報、道路交通機関による道路交通情報（交通規制地点の情報、災害地点の情報、道路凍結地点の情報、カーブの情報等）が挙げられる。交通規制地点の情報、災害地点の情報、道路凍結地点の情報、カーブの情報等は、不揮発性メモリに残しておけば、その事象発生位置付近を再度通過する場合に、事象発生位置を示すアイコンをナビゲーション装置で表示したり、リルートの判断基準にしたりすることができる。また、再度通過した際に路側無線装置が故障しており情報が提供されない場合であっても、蓄積されている情報からユーザが情報提供を受けることができる。
【０００５】
しかしながら、一度通過した情報提供位置を再度通過する場合に受信した蓄積型情報のコンテンツ全てを再度再生するとなると、ユーザに煩わしさを与えるといった問題もある。
【０００６】
本発明の課題は、ナビゲーション装置において、一度再生された蓄積型のコンテンツ情報を効率的に再利用することができるようにすることである。
【課題を解決するための手段】
【０００７】
上記課題を解決するため、請求項１に記載のナビゲーション装置は、
事象発生位置の情報及び前記事象発生位置の情報が自車に提供される複数の情報提供位置又はエリアの情報、を含むコンテンツ情報を受信する受信手段と、
前記受信したコンテンツ情報を記憶する記憶手段と、
前記記憶手段に記憶したコンテンツ情報を前記情報提供位置及びエリアにおいて再生手段に再生させるか否かを制御する制御手段と、
を備え、
前記コンテンツ情報はその有効期限の情報をさらに含み、
前記制御手段は、前記複数の情報提供位置及びエリアのうちの一の情報提供位置又はエリアに自車が到達したときに前記コンテンツ情報が有効期限内であるか否かを判断し、前記有効期限内であると判断した場合には、前記コンテンツ情報の情報提供者の情報に基づいて前記コンテンツ情報が民間サービスの提供によるものか否かを判断し、民間サービスの提供によるものではないと判断した場合には前記コンテンツ情報を前記再生手段により再生させ、民間サービスの提供によるものであると判断した場合には前記コンテンツ情報の前回の再生からの経過時間又は前記コンテンツ情報の今までの再生回数に基づいて、前記再生手段による前記コンテンツ情報の再生が行われないように制御することを特徴とする。
【０００８】
請求項２に記載の発明は、請求項１に記載の発明において、
地図画面を表示する表示手段をさらに備え、
前記制御手段は、前記地図画面が更新された場合、前記コンテンツ情報が民間サービスの提供によるものではない場合には前記事象発生位置の情報を前記表示手段により前記地図画面上に表示させ、前記コンテンツ情報が民間サービスの提供によるものである場合には前記コンテンツ情報の前回の再生からの経過時間又は前記コンテンツ情報の今までの再生回数に基づいて、前記表示手段による前記事象発生位置の情報の前記地図画面上への表示を行うか否かを制御することを特徴とする。
【０００９】
請求項３に記載の発明の再生制御方法は、
事象発生位置の情報、前記事象発生位置の情報が自車に提供される複数の情報提供位置又はエリアの情報、及び有効期限の情報を含むコンテンツ情報を受信する受信ステップと、
前記受信したコンテンツ情報を記憶する記憶ステップと、
前記複数の情報提供位置及びエリアのうちの一の情報提供位置又はエリアに自車が到達したときに、前記コンテンツ情報が有効期限内であるか否かを判断し、前記有効期限内であると判断した場合には、前記コンテンツ情報の情報提供者の情報に基づいて前記コンテンツ情報が民間サービスの提供によるものか否かを判断し、民間サービスの提供によるものではないと判断した場合には前記コンテンツ情報を再生し、民間サービスの提供によるものであると判断した場合には前記コンテンツ情報の前回の再生からの経過時間又は前記コンテンツ情報の今までの再生回数に基づいて、前記コンテンツ情報の再生を行わないように制御する再生制御ステップと、
を含むことを特徴とする。
【００１０】
請求項４に記載の発明は、請求項３に記載の発明において、
前記再生制御ステップの後に、地図画面が更新された場合、前記コンテンツ情報が民間サービスの提供によるものではない場合には前記事象発生位置の情報を前記地図画面上に表示し、前記コンテンツ情報が民間サービスの提供によるものである場合には前記コンテンツ情報がすでに再生されたか否かを判断し、前記コンテンツ情報が再生されてないと判断した場合には前記事象発生位置の情報を前記地図画面上に表示し、前記コンテンツ情報がすでに再生されたと判断した場合には前記コンテンツ情報の前回の再生からの経過時間又は前記コンテンツ情報の今までの再生回数に基づいて、前記表示手段による前記事象発生位置の情報の前記地図画面上への表示を行うか否かを制御する表示制御ステップをさらに含むことを特徴とする。
【発明の効果】
【００１５】
本発明によれば、ナビゲーション装置において、一度再生された蓄積型のコンテンツ情報を効率的に再利用することが可能となる。
【発明を実施するための最良の形態】
【００１６】
以下、添付図面を参照して本発明に係る実施の形態を詳細に説明する。ただし、発明の範囲は、図示例に限定されない。
【００１７】
図１に、ＤＳＲＣシステム１００及びナビゲーション装置２の概要を示す。
ここで、ＤＳＲＣシステムとは、ＩＴＳ(Information & Communication System:道路交通情報通信システム)の一環として導入されたシステムであり、数メートル〜数十メートル程度の限定された通信エリア内で路側無線装置とＤＳＲＣ機能を有する車載器（例えば、ナビゲーション装置等）との間で情報の送受を可能とした通信システムである。
図１に示すように、ＤＳＲＣシステム１００は、ｎ台の路側無線装置１１〜１ｎと、路側無線装置１１〜１ｎと通信ネットワークＮを介して接続されたサーバ３とを含む。路側無線装置１１〜１ｎは、それぞれＤＳＲＣアンテナ１１ａ〜１ｎａを有する。
【００１８】
路側無線装置１１〜１ｎは、それぞれ道路脇、道路上方、道の駅、駐車場等に設置され、ＤＳＲＣアンテナ１１ａ〜１ｎａから到達距離が極めて限定されたＤＳＲＣの電波を放射して、所定の通信エリア内に停車又は通行する車両に搭載されたＤＳＲＣ機能を有するナビゲーション装置２との間で双方向狭域無線通信を行う。路側無線装置１１〜１ｎは、ＤＳＲＣ専用のＩＰ網等の通信ネットワークＮを介してサーバ３とデータ送受信可能に接続されている。路側無線装置１１〜１ｎは、ナビゲーション装置２との通信が確立すると、接続された旨をサーバ３に通知し、サーバ３からコンテンツ情報を受信してナビゲーション装置２に送信する。
サーバ３は、サービス事業者が管理するサーバであり、情報提供者（道路交通機関、各種施設を運営する企業等）から配信を依頼されたコンテンツ情報を大容量の記憶装置に蓄積しておき、必要に応じて路側無線装置１１〜１ｎと通信接続されたナビゲーション装置２に対して配信する装置である。コンテンツ情報としては、例えば、道路交通機関から提供される道路交通情報（交通規制地点の情報、災害地点の情報、道路凍結地点の情報、カーブの情報等）、民間の企業から提供される広告情報等を挙げられる。サーバ３は、ナビゲーション装置２と通信が確立した路側無線装置１１〜１ｎのそれぞれが存在するエリアによって、エリアに応じたコンテンツ情報を配信することができる。
【００１９】
ナビゲーション装置２は、路側無線装置１１〜１ｎとＤＳＲＣに基づく通信を行うためのＤＳＲＣ機能と、ナビゲーション装置２が搭載された車両（以下、自車という）の現在位置や目的地までの経路案内を表示するナビゲーション機能を備えた装置である。
【００２０】
図２に、ナビゲーション装置２の機能構成例を示す。
図２に示すように、ナビゲーション装置２は、制御部２０、操作入力部２１、表示部２２、音声出力部２３、ハードディスク装置２４、受信情報記憶部２５、ＧＰＳ（Global Positioning System）モジュール２６、自律航法ユニット２７、ＶＩＣＳ（Vehicle Information and Communication System）モジュール２８、ＤＳＲＣ送受信部２９等を備えて構成されている。
【００２１】
制御部２０は、ＣＰＵ（Central Processing Unit）、ＲＯＭ（Read Only Memory）、ＲＡＭ（Random Access Memory）等により構成される。制御部２０のＣＰＵは、ＲＯＭに記憶されているシステムプログラムを読み出して実行し、ナビゲーション装置２の各部を駆動制御する。また、ＣＰＵは、操作入力部２１、ＧＰＳモジュール２６、ＶＩＣＳモジュール２８、ＤＳＲＣ送受信部２９等を介して入力される情報に基づいて、ＲＯＭに記憶されている各種処理プログラムを読み出してＲＡＭ内に展開し、展開されたプログラムに従って各種処理を実行する。
【００２２】
例えば、制御部２０は、操作入力部２１を介して目的地が設定され、経路探索が指示されると、経路探索処理を実行し、ハードディスク装置２４に記憶されている地図情報から、ノード（交差点、分岐点、屈曲点といった節点の座標情報）情報とリンク（２つの節点を結ぶ直線経路）情報を含む道路情報を読み出し、読み出した道路情報に基づいて、各種条件に応じた自車の現在位置（自車位置）から目的地までの経路（例えば、標準経路、最短距離の経路、最低料金の経路、最短時間の経路等）を探索する。経路探索処理が終了すると、制御部２０は、探索された経路のうち、経路案内に利用する誘導経路をユーザが選択するための選択画面を表示部２２に表示させ、操作入力部２１からの選択入力に応じて、探索された経路のうち一の経路を経路案内に利用する誘導経路として設定し、経路探索結果としてＲＡＭに記憶する。
【００２３】
また、制御部２０は、操作入力部２１を介して経路案内が指示されると、経路案内処理を実行し、ＧＰＳモジュール２６等から出力される自車位置及び経路探索処理の探索結果に基づいて、ハードディスク装置２４から経路案内に必要なデータ（自車位置付近に関する地図情報、施設情報、案内図データ等）を読み出してＲＡＭに格納し、表示部２２に経路案内を表示したり、経路案内の音声を音声出力部２３から出力したりする。
【００２４】
また、制御部２０は、後述するデータ再生処理を実行し、受信情報記憶部２５に記憶されているコンテンツ情報の再生や、地図画面上におけるコンテンツの事象発生位置及び情報提供位置へのアイコン表示を行う。なお、本実施の形態においては、地図画面上におけるコンテンツ情報の事象発生位置及び情報提供位置にアイコンを表示することとして説明するが、吹き出し、アノテーション（Annotation）、記号、文字等を示す画像情報を表示することとしてもよい。
【００２５】
ここで、サーバ３から送信されるコンテンツ情報には、即時型情報と蓄積型情報とが存在する。
即時型情報は、受信した後１秒以内にナビゲーション装置２で提供される（再生される）コンテンツ情報である。制御部２０は、ＤＳＲＣ送受信部２９により即時型情報が受信されると、受信された情報をＲＡＭに一時記憶するとともに、直ちに受信された即時型情報のコンテンツを表示部２２及び／又は音声出力部２３により再生する。再生後、即時型情報をＲＡＭから削除する。
【００２６】
一方、蓄積型情報は、ナビゲーション装置２を搭載した車両、即ち自車が予め定められた情報提供位置に到達した際に、画像及び／又は音声により提供されるコンテンツ情報であり、事象発生位置を示す座標情報、コンテンツを提供する情報提供位置を示す情報を含む。
事象発生位置とは、蓄積型情報のコンテンツによって報知される事象が発生した地点の位置をいう。例えば、蓄積型情報のコンテンツが或るレストランのランチサービスに関するコンテンツであった場合、事象発生位置は、そのレストランの存在する位置のことを指す。また、蓄積型情報のコンテンツが落石事故に関するコンテンツであった場合、事象発生位置は、落石事故の現場の位置を指す。
情報提供位置は、地点として定められていてもよいし、エリアとして定められていてもよい。本実施の形態においては、以下、蓄積型情報を提供する位置を情報提供エリアとして定めていることとする。
【００２７】
図３に、事象発生位置及び情報提供エリアの関係を示す。図３のＰ１は、地図上における事象発生位置を示す。図３のＡ１〜Ａ４は、事象発生位置Ｐ１に関する蓄積型情報の情報提供エリアを示す。図３に示すように、情報提供エリアＡ１〜Ａ４は、例えば、事象発生位置Ｐ１に向かう道路上に予め設定されている。これらの情報提供エリアＡ１〜Ａ４は、中心座標Ｏ１〜Ｏ４の情報（緯度経度）、半径Ｒ１〜Ｒ４の情報、車両の進行方向の情報からなる情報提供位置情報で特定される。
【００２８】
制御部２０は、ＤＳＲＣ送受信部２９により蓄積型情報が受信されると、受信された蓄積型情報を受信日時と対応付けてコンテンツ情報記憶部２５１に記憶し、自車が情報提供位置情報により定められた情報提供エリア内に定められた方向から進入したことがＧＰＳモジュール２６や自律航法ユニット２７により検出された際に、受信された蓄積型情報のコンテンツを表示部２２及び／又は音声出力部２３により再生する。図４に、情報提供エリア内で表示部２２により再生されるコンテンツの一例を示す。図４に示すように、情報提供エリア内においては、例えば、コンテンツ２２２が表示部２２に表示された地図画面上にポップアップ表示される。また、制御部２０は、図示しないＲＴＣ（Real Time Clock）等の計時回路に接続されており、コンテンツ再生時に計時回路から出力される日時情報を取得して、コンテンツ再生日時を再生した蓄積型情報、より詳細には、再生を行った情報提供エリアに対応する情報提供位置情報に対応付けて記憶する。コンテンツ再生日時は、コンテンツが再生される度に更新される。
【００２９】
操作入力部２１は、方向（上、右上、右、右下、下、左下、左、左上）を指示するための矢印キー、この矢印キーの中央部に配置されたセットキー、数字キー、その他ナビゲーション利用等の各種機能に対応付けられた各種キーを備え、操作されたキーに対する操作信号を制御部２０に出力する。また、操作入力部２１は、表示部２２の画面を覆うように設けられたタッチパネルを備え、電磁誘導式、磁気歪式、感圧式等の座標読み取り原理でタッチ指示された座標を検出し、検出した座標を位置信号として制御部２０に出力する。あるいは、操作入力部２１は、リモコン、マイク等を備える構成としてもよい。
【００３０】
表示部２２は、カラー液晶ディスプレイ等により構成され、制御部２０からの指示に従って表示画面上に地図画面やアイコン、案内図等のナビゲーション用の表示情報を表示する。
【００３１】
音声出力部２３は、テキストデータから音声再生可能な音声データを生成する音声合成部、Ｄ／Ａ変換器、増幅器、スピーカ等を備えて構成され、制御部２０からの指示に従って、音声データをアナログ信号に変換して音声出力する。
【００３２】
ハードディスク装置２４は、地図ＤＢ（Data Base）２４１、案内図ＤＢ２４２、案内音声ＤＢ２４３、施設情報ＤＢ２４４等を有し、ナビゲーション装置２における経路の探索及び経路案内に必要なデータを記憶する。なお、地図ＤＢ（Data Base）２４１、案内図ＤＢ２４２、案内音声ＤＢ２４３、施設情報ＤＢ２４４等の記憶装置としては、ハードディスク装置に限らず、ＣＤ−ＲＯＭ、ＤＶＤ等の記録媒体とこれらの記録媒体から情報を読み出すドライブ等としてもよい。
【００３３】
地図ＤＢ２４１は、道路情報を含む地図情報を格納するデータベースである。道路情報としては、ノード、リンク、各道路の名称、道路の種類を示す種別（高速道路、国道、県道、一般道、幹線道、有料道路等）、道幅、ＩＣ（インターチェンジ）の名称及び地図上の座標情報（緯度経度）、ＳＡ（サービスエリア）の名称及び地図上の座標情報等の情報が含まれる。
【００３４】
案内図ＤＢ２４２は、経路案内のポイントで案内画像を表示するための案内図データ（例えば、交差点拡大図、方面看板、進行方向矢印等の画像データ）を格納するデータベースである。
案内音声ＤＢ２４３は、経路案内に必要なメッセージの音声データを格納するデータベースである。
施設情報ＤＢ２４４は、各種施設の種別情報、施設個別名称、施設アイコン情報（施設の地図上の座標情報、アイコン画像情報を含む）を格納するデータベースである。
【００３５】
受信情報記憶部２５は、半導体メモリ等により構成され、ＤＳＲＣ送受信部２９により路側無線装置１１〜１ｎから受信された蓄積型情報を記憶するコンテンツ情報記憶部２５１を有している。
【００３６】
図５に、本実施の形態において路側無線装置１１〜１ｎから受信される蓄積型情報のデータフォーマットの一例を示す。図５に示すように、蓄積型情報には、コンテンツを画像又は音声により再生するためのコンテンツ実データの他、コンテンツに関する情報が含まれる。コンテンツに関する情報としては、例えば、事業者情報、情報提供者情報、事象発生位置情報、情報提供エリア情報等が挙げられる。
事業者情報は、コンテンツを配信するサービス事業者に関する事業者情報であり、例えば、コンテンツを提供するサービス事業者の事業者コード、事業者名表示用テキスト等が含まれる。
情報提供者情報は、配信される情報（即ち、コンテンツ）を提供する情報提供者に関する情報であり、例えば、情報提供者を識別するための情報提供者コード、情報提供者名表示用テキスト、配信される情報の種別を示す情報コード、情報タイトル表示用テキスト、情報の有効期限等が含まれる。
事象発生位置情報は、配信される情報の事象発生位置に関する情報であり、事象発生位置の座標情報（緯度経度）、営業時間を示す営業時間情報（事象発生位置が施設である場合に利用される）、事象発生位置にアイコンを表示するための画像情報であるアイコン画像情報等が含まれる。
情報提供エリア情報は、コンテンツを提供すべき情報提供エリアの位置を示す情報提供位置情報（情報提供エリアの中心座標、中心座標からの半径、進行方向）等が含まれる。なお、情報提供位置情報は、一又は複数含まれる。
【００３７】
また、コンテンツ情報記憶部２５１は、記憶されている蓄積型情報の各情報提供位置情報に対応付けて、その情報提供位置情報により特定される情報提供エリアにおいてコンテンツ情報が再生された際に設定される再生済みフラグ及び再生日時情報を記憶する。
【００３８】
ＧＰＳモジュール２６は、図示しないＧＰＳアンテナ等を備えて構成される。このＧＰＳアンテナは、地球低軌道に打ち上げられた複数のＧＰＳ衛星から送信されるＧＰＳ信号を受信する。ＧＰＳアンテナは、少なくとも３個のＧＰＳ衛星から送信されるＧＰＳ信号を受信し、受信したＧＰＳ信号に基づいて車両の絶対的な現在位置（緯度、経度）を検出して、制御部２０に出力する。
【００３９】
自律航法ユニット２７は、角度センサ、距離センサ等を備えて構成される。角度センサは、車の角速度（単位時間あたりの水平方向への回転角度）を検出して、移動方位の変化量を算出する。距離センサは、車輪の回転に応じて出力されるパルス信号を検出して、車両の移動量を算出する。自律航法ユニット２７は、これら角速度信号および車速パルス信号により、車両の相対的な位置変化を算出して制御部２０に出力する。
【００４０】
ＶＩＣＳモジュール２８は、ＦＭ多重放送局等からの放送を、図示しないアンテナを介して受信することによって道路渋滞情報を受信し制御部２０に出力する。または、ＶＩＣＳモジュール２８は、道路上に設置された機器からの光・無線電波を用いたビーコン発信機から放送された道路渋滞情報を受信する構成としてもよい。
【００４１】
ＤＳＲＣ送受信部２９は、ＤＳＲＣアンテナ２９ａを備え、路側無線装置１１〜１ｎとＤＳＲＣに基づく双方向狭域無線通信を行い、路側無線装置１１〜１ｎから配信されるコンテンツ情報を始めとする各種通信情報を受信する。
【００４２】
例えば、ＤＳＲＣ送受信部２９は、路側無線装置１１の通信エリア内に到達すると、路側無線装置１１から放射されるＤＳＲＣの電波を受信して、路側無線装置１１とＤＳＲＣに基づく通信接続処理を行う。路側無線装置１１との通信が確立し、路側無線装置１１からコンテンツ情報を始めとする通信情報が受信されると、受信された通信情報を制御部２０に出力する。路側無線装置１２〜１ｎの通信エリア内に到達した際もＤＳＲＣ送受信部２９は同様の処理をする。
【００４３】
なお、ＤＳＲＣ送受信部２９の内部にメモリを有する構成とし、このメモリにナビゲーション装置２における表示部２２の画面解像度、地図情報の測地系、受信情報記憶部２５の情報格納可能容量等の情報を記憶しておき、路側無線装置１１〜１ｎとの通信開始時にこれらの情報をＤＳＲＣ送受信部２９が路側無線装置１１〜１ｎに通知することで、ナビゲーション装置２に応じたデータを路側無線装置１１〜１ｎから受信することができる。
【００４４】
次に、本実施の形態の動作について説明する。
図６に、制御部２０により実行されるデータ再生処理を示す。
【００４５】
まず、操作入力部２１の操作に応じて経路探索処理が実行される（ステップＳ１）。次いで、ＧＰＳモジュール２６等から出力される自車位置及び経路探索処理の探索結果（走行ルート）に基づいて経路案内処理が開始される（ステップＳ２）。
【００４６】
次いで、コンテンツ情報記憶部２５１に記憶されている蓄積型情報のデータについて、コンテンツ再生判断処理が実行される（ステップＳ３）。
【００４７】
図７に、ステップＳ３において制御部２０により実行されるコンテンツ再生判断処理（コンテンツ再生判断処理Ａ）を示す。
まず、コンテンツ情報記憶部２５１に記憶されている蓄積型情報のデータから処理対象となる一の蓄積型情報のデータが選択される（ステップＳ１０１）。次いで、処理対象の蓄積型情報に含まれる情報提供位置情報が一つずつ参照され、情報提供位置情報、ＧＰＳモジュール２６及び自律航法ユニット２７の出力に基づいて、処理対象の蓄積型情報の情報提供エリアに到達したか否かが判断され、情報提供エリアに到達していないと判断されると（ステップＳ１０２；ＮＯ）、処理はステップＳ１１２に移行する。
【００４８】
一方、処理対象の蓄積型情報の情報提供エリアに到達したと判断されると（ステップＳ１０２；ＹＥＳ）、処理対象の蓄積型情報の有効期限情報と図示しない計時回路より出力される現在日時とが比較され、当該蓄積型情報が有効期限内であるか否かが判断される。当該蓄積型情報が有効期限内ではないと判断されると（ステップＳ１０３；ＮＯ）、コンテンツ情報記憶部２５１から当該蓄積型情報のデータが削除され（ステップＳ１０４）、処理はステップＳ１１２に移行する。
【００４９】
一方、処理対象の蓄積型情報が有効期限内であると判断されると（ステップＳ１０３；ＹＥＳ）、当該蓄積型情報の情報提供者コードが参照され、情報提供者コードに基づいて当該蓄積型情報が民間サービスの提供によるものであるか否かが判断される。当該蓄積型情報が民間サービスの提供によるものではないと判断されると（ステップＳ１０５；ＮＯ）、処理はステップＳ１０９の再生処理へ移行する。ここで、民間サービスによる蓄積型情報の内容は、主に広告であり、民間サービス以外、即ち、道路交通機関等の公的機関の提供による蓄積型情報の内容は、主に道路交通情報（交通規制地点の情報、災害地点の情報、道路凍結地点の情報、カーブの情報等）である。道路交通情報は、リルートの判断基準となるものであり、一度再生した地点を再度通過する際においても再生されることが好ましい。そこで、本実施の形態においては、情報提供者コードを情報提供内容を示す情報として使用し、民間サービスの提供ではない蓄積型情報については、一度再生されたか否かに拘わらず再度再生処理を行う。
【００５０】
一方、処理対象の蓄積型情報が民間サービスの提供によるものであると判断されると（ステップＳ１０５；ＹＥＳ）、コンテンツ情報記憶部２５１において到達した情報提供エリア（即ち、現在位置を含む情報提供エリア）の情報提供位置情報に再生済みフラグが対応付けて記憶されているか否かが判断される。再生済みフラグが対応付けられていないと判断されると（ステップＳ１０６；ＮＯ）、処理はステップＳ１０９に移行し、再生処理が行われる。再生済みフラグが対応付けられていると判断されると（ステップＳ１０６；ＹＥＳ）、処理はステップＳ１０７に移行する。
【００５１】
ステップＳ１０７においては、到達した情報提供エリア（即ち、現在位置を含む情報提供エリア）の情報提供位置情報に対応付けて記憶されている再生日時情報が参照され、この情報提供エリアにおける前回のコンテンツ情報の再生日時が確認される。そして、前回のコンテンツ再生日時から予め定められた基準時間、例えば、２４時間が経過したか否かが判断され、基準時間経過したと判断されると（ステップＳ１０８；ＹＥＳ）、処理はステップＳ１０９に移行し、所定時間経過していないと判断されると（ステップＳ１０８；ＮＯ）、処理はステップＳ１１１に移行する。
【００５２】
ステップＳ１０９においては、処理対象の蓄積型情報のコンテンツ実データに基づいて、音声出力部２３及び／又は表示部２２によりコンテンツが再生される。そして、コンテンツ情報記憶部２５１において、再生された情報提供エリアの情報提供位置情報に対応付けて、再生済みフラグ（未設定の場合）及び再生日時情報（現在日時）が記憶され（ステップＳ１１０）、処理はステップＳ１１２に移行する。
【００５３】
一方、ステップＳ１１１においては、現在地に対応する情報提供位置情報の再生日時情報が現在日時に更新され、処理はステップＳ１１２に移行する。ここで、ステップＳ１１１におけるコンテンツ再生日時の更新は、何度も同じ情報提供エリアを通過する場合に何度も同じ情報が提供されユーザに煩わしさを与えることを低減するために行われる。この処理により、例えば、Ａ地点で１２時間前に一度コンテンツ情報を再生した後Ａ地点を通過し、更に１５時間後にＡ地点を通過したような場合に、３回目の通過時点で前回通過から１５時間しか経過していないのにも拘わらず再度コンテンツが再生されることが防止される。
【００５４】
ステップＳ１１２においては、コンテンツ情報記憶部２５１に記憶されている蓄積型情報の全データについて、ステップＳ１０１〜Ｓ１１１が完了したか否かが判断され、完了していないと判断されると（ステップＳ１１２；ＮＯ）、処理はステップＳ１０１に戻る。コンテンツ情報記憶部２５１に記憶されている蓄積型情報の全データについて、ステップＳ１０１〜Ｓ１１１が完了したと判断されると（ステップＳ１１２；ＹＥＳ）、処理は図６のステップＳ４に移行する。
【００５５】
図６のステップＳ４においては、表示部２２における地図画面の更新が行われたか否かが判断され、地図画面の更新が行われたと判断されると、アイコン表示判断処理が実行される（ステップＳ５）。地図画面の更新が行われていないと判断されると（ステップＳ４；ＮＯ）、処理はステップＳ６に移行する。
【００５６】
図８に、図６のステップＳ５において制御部２０により実行されるアイコン表示判断処理（アイコン表示判断処理Ａ）を示す。
まず、コンテンツ情報記憶部２５１に記憶されている蓄積型情報のデータから処理対象となる一の蓄積型情報のデータが選択される（ステップＳ２０１）。
【００５７】
次いで、処理対象の蓄積型情報の有効期限情報と図示しない計時回路より出力される現在日時とが比較され、当該蓄積型情報が有効期限内であるか否かが判断される。当該蓄積型情報が有効期限内ではないと判断されると（ステップＳ２０２；ＮＯ）、コンテンツ情報記憶部２５１から当該蓄積型情報のデータが削除され（ステップＳ２０３）、処理はステップＳ２０７に移行する。
【００５８】
一方、処理対象の蓄積型情報が有効期限内であると判断されると（ステップＳ２０２；ＹＥＳ）、当該蓄積型情報の情報提供者コードが参照され、情報提供者コードに基づいて当該蓄積型情報が民間サービスの提供によるものであるか否かが判断される。当該蓄積型情報が民間サービスの提供によるものではないと判断されると（ステップＳ２０４；ＮＯ）、処理はステップＳ２０６のアイコン描画処理に移行する。ここで、民間サービスによる蓄積型情報の内容は、主に広告であり、民間サービス以外、即ち、道路交通機関等の公的機関の提供による蓄積型情報の内容は、主に道路交通情報（交通規制地点の情報、災害地点の情報、道路凍結地点の情報、カーブの情報等）である。道路交通情報は、リルートの判断基準となるものであり、一度再生した地点を再度通過する際においても事象発生位置のアイコンが提供されることが好ましい。そこで、本実施の形態においては、情報提供者コードを情報提供内容を示す情報として使用し、民間サービスの提供ではない蓄積型情報については、一度再生されたものであってもアイコン描画処理を行う。
【００５９】
一方、処理対象の蓄積型情報が民間サービスの提供によるものであると判断されると（ステップＳ２０４；ＹＥＳ）、当該蓄積型情報の情報提供エリアのうち、図６のステップＳ１で探索された走行ルート上にある情報提供エリアが特定され、コンテンツ情報記憶部２５１において、この特定された情報提供エリアの情報提供位置情報に再生済みフラグが対応付けて記憶されているか否かが判断される。再生済みフラグが対応付けられていると判断されると（ステップＳ２０５；ＹＥＳ）、処理はステップＳ２０７に移行する。再生済みフラグが対応付けられていないと判断されると（ステップＳ２０５；ＮＯ）、処理はステップＳ２０６に移行し、アイコン描画処理が行われる。
【００６０】
図９、図１０に、図８のステップＳ２０６において制御部２０により実行されるアイコン描画処理を示す。
アイコン描画処理においては、まず、処理対象の蓄積型情報の事象発生位置の座標情報が参照され、事象発生位置が表示部２２に現在表示されている地図画面の表示範囲内であるか否かが判断される。事象発生位置が表示部２２に現在表示されている地図画面の表示範囲内でないと判断されると（ステップＳ１００１；ＮＯ）、処理はステップＳ１００８に移行する。事象発生位置が表示部２２に現在表示されている地図画面の表示範囲内であると判断されると（ステップＳ１００１；ＹＥＳ）、当該蓄積型情報の情報提供エリアの位置を示すアイコンが表示部２２の地図画面上に表示されているか否かが判断され、表示されていると判断されると（ステップＳ１００２；ＹＥＳ）、アイコン関連付けデータが取得され（ステップＳ１００３）、処理はステップＳ１００５に移行する。当該蓄積型情報の情報提供エリアの位置を示すアイコンが表示されていないと判断されると（ステップＳ１００２；ＮＯ）、アイコン関連付けデータが作成され（ステップＳ１００４）、処理はステップＳ１００５に移行する。
【００６１】
ここで、アイコン関連付けデータとは、事象発生位置を示すアイコンと、情報提供エリアの位置を示すアイコンとを関連付けて表示するためのデータであり、例えば、アイコンの表示形状、表示色等を規定するデータである。作成されたアイコン関連付けデータは、蓄積型情報に関連付けてＲＡＭに記憶される。  
【００６２】
ステップＳ１００５においては、処理対象の蓄積型情報にアイコン画像情報が含まれているか否かが判断され、アイコン画像情報が含まれていると判断されると（ステップＳ１００５；ＹＥＳ）、表示部２２に表示されている地図画面上の事象発生位置の座標に対応する位置に、当該アイコン画像情報に基づいてアイコンが描画され（ステップＳ１００６）、処理はステップＳ１００８に移行する。処理対象の蓄積型情報にアイコン画像情報が含まれていないと判断されると（ステップＳ１００５；ＮＯ）、地図画面上の事象発生位置の座標に対応する位置に、アイコン関連付けデータに基づいて、事象発生位置を示すアイコンが描画され（ステップＳ１００７）、処理はステップＳ１００８に移行する。
【００６３】
ステップＳ１００８においては、処理対象の蓄積型情報の情報提供位置情報が参照され、情報提供エリアの位置が表示部２２に現在表示されている地図画面の表示範囲内であるか否かが判断される。情報提供エリアの位置が表示部２２に現在表示されている地図画面の表示範囲内でないと判断されると（ステップＳ１００８；ＮＯ）、本処理は終了し、図８のステップＳ２０７に移行する。処理対象の蓄積型情報における情報提供エリアの位置が表示部２２に現在表示されている地図画面の表示範囲内であると判断されると（ステップＳ１００８；ＹＥＳ）、処理はステップＳ１００９に移行する。
【００６４】
ステップＳ１００９においては、当該蓄積型情報の事象発生位置を示すアイコンが表示部２２の地図画面上に現在表示中であるか否かが判断され、表示中であると判断されると（ステップＳ１００９；ＹＥＳ）、アイコン関連付けデータが取得され（ステップＳ１０１１）、処理はステップＳ１０１３に移行する。当該蓄積型情報の事象発生位置を示すアイコンが表示部２２の地図画面上に現在表示中ではないと判断されると（ステップＳ１００９；ＮＯ）、当該蓄積型情報の情報提供エリアの少なくとも一つを示すアイコンが現在表示部２２の地図画面上に表示中であるか否かが判断され、表示中であると判断されると（ステップ１０１０；ＹＥＳ）、アイコン関連付けデータが取得され（ステップＳ１０１１）、処理はステップＳ１０１３に移行する。当該蓄積型情報の情報提供エリアを示すアイコンが何れも現在表示部２２の地図画面上に表示中ではないと判断されると（ステップＳ１０１０；ＮＯ）、アイコン関連付けデータが作成され（ステップＳ１０１２）、処理はステップＳ１０１３に移行する。
【００６５】
ステップＳ１０１３においては、アイコン関連付けデータに基づいて、地図画面上の情報提供エリアに対応する位置（例えば、情報提供エリアの中心座標に対応する位置）に情報提供エリアを示すアイコンが描画される。そして、本処理は終了し、図８のステップＳ２０７に移行する。なお、処理対象の蓄積型情報に情報提供エリアの位置を示す複数の情報提供位置情報が含まれており、地図画面の表示範囲内に複数の情報提供エリアの中心座標が含まれる場合は、複数のアイコンが表示される。
【００６６】
図８のステップＳ２０７においては、コンテンツ情報記憶部２５１に記憶されている蓄積型情報の全データについて、ステップＳ２０１〜Ｓ２０６が完了したか否かが判断され、完了していないと判断されると（ステップＳ２０７；ＮＯ）、処理はステップＳ２０１に戻る。コンテンツ情報記憶部２５１に記憶されている蓄積型情報の全データについて、ステップＳ２０１〜Ｓ２０６が完了したと判断されると（ステップＳ２０７；ＹＥＳ）、処理は図６のステップＳ６に移行する。
【００６７】
図６のステップＳ６においては、ＤＳＲＣ送受信部２９により路側無線装置１１〜１ｎから新たな蓄積型情報が受信されたか否かが判断され、受信されていないと判断されると（ステップＳ６；ＮＯ）、処理はステップＳ８に移行する。ＤＳＲＣ送受信部２９により路側無線装置１１〜１ｎから新たな蓄積型情報が受信されたと判断されると（ステップＳ６；ＹＥＳ）、受信された蓄積型情報がコンテンツ情報記憶部２５１に書き込まれて保存され（ステップＳ７）、処理はステップＳ８に移行する。
【００６８】
ステップＳ８においては、ＧＰＳモジュール２６等からの出力に基づいて、目的地に到着したか否かが判断され、目的地に到着していないと判断されると（ステップＳ８；ＮＯ）、処理はステップＳ３に戻る。目的地に到着したと判断されると（ステップＳ８；ＹＥＳ）、操作入力部２１により経路再探索の指示が入力されたか否かが判断され、経路再探索が指示されたと判断されると（ステップＳ９；ＹＥＳ）、処理はステップＳ１に戻る。操作入力部２１により経路再探索の指示が入力されていないと判断されると（ステップＳ９；ＮＯ）、本処理は終了する。
【００６９】
以上説明したように、第１の実施の形態におけるナビゲーション装置２によれば、制御部２０は、蓄積型情報が有効期限内であるか否か、情報提供者が民間サービスであるか否か、前回再生時から所定時間経過したか否か等の予め定められた判断基準に基づいて、到達した情報提供エリアにおいて既に再生済みの蓄積型情報のコンテンツを再度再生するか否かを判断し、判断結果に応じて表示部２２や音声出力部２３等の再生手段にコンテンツを再度再生させるか否かを制御する。
【００７０】
従って、一度再生された蓄積型情報を全て再生することによりユーザに与える煩わしさを低減しつつ、道路を走行する上で必要な蓄積型情報を効率的に再利用することが可能となる。
例えば、第１の実施の形態の例のように、有効期限内であって民間サービス以外、即ち、道路交通機関等の公的機関の提供による蓄積型情報のように、情報提供エリアを通過するユーザが道路を走行する上で必ず必要となる情報については再度再生を行い、何度も再生されるとユーザに煩わしさを与える可能性のある広告等の民間サービスの提供による蓄積型情報については前回の再生時間から所定時間以上経過している場合に再度再生を行うようにすることが可能となる。
【００７１】
なお、再生済みの蓄積型情報を再度再生するか否かの判断基準は、蓄積型情報が有効期限内であるか否か、情報提供者が民間サービスであるか否か、前回再生時から所定時間経過したか否か等の予め定められた判断基準の中から一又は複数を組み合わせて操作入力部２１から任意に設定できるようにし、制御部２０が設定に応じて再生済みの蓄積型情報を再度再生するか否かの判断を行うようにしてもよい。
【００７２】
〔第２の実施の形態〕
次に、本発明の第２の実施の形態について説明する。第２の実施の形態における構成は、第１の実施の形態と略同様であるので説明を援用し、異なる部分について以下に説明する。
【００７３】
第２の実施の形態において制御部２０により実行されるデータ再生処理は、第１の実施の形態において図６を参照して説明したものと略同様であるが、ステップＳ３において実行されるコンテンツ再生判断処理、ステップＳ５において実行されるアイコン表示判断処理が異なる。
【００７４】
図１１に、図６のステップＳ３において制御部２０により実行されるコンテンツ再生判断処理（コンテンツ再生判断処理Ｂとする）を示す。
まず、コンテンツ情報記憶部２５１に記憶されている蓄積型情報のデータから処理対象となる一の蓄積型情報のデータが選択される（ステップＳ３０１）。次いで、処理対象の蓄積型情報に含まれる情報提供位置情報が一つずつ参照され、情報提供位置情報、ＧＰＳモジュール２６及び自律航法ユニット２７の出力に基づいて、処理対象の蓄積型情報の情報提供エリアに到達したか否かが判断され、情報提供エリアに到達していないと判断されると（ステップＳ３０２；ＮＯ）、処理はステップＳ３０９に移行する。
【００７５】
一方、処理対象の蓄積型情報の情報提供エリアに到達したと判断されると（ステップＳ３０２；ＹＥＳ）、処理対象の蓄積型情報の有効期限情報と図示しない計時回路より出力される現在日時とが比較され、当該蓄積型情報が有効期限内であるか否かが判断される。当該蓄積型情報が有効期限内ではないと判断されると（ステップＳ３０３；ＮＯ）、コンテンツ情報記憶部２５１から当該蓄積型情報のデータが削除され（ステップＳ３０４）、処理はステップＳ３０９に移行する。
【００７６】
一方、処理対象の蓄積型情報が有効期限内であると判断されると（ステップＳ３０３；ＹＥＳ）、当該蓄積型情報の情報提供者コードが参照され、情報提供者コードに基づいて当該蓄積型情報が民間サービスの提供によるものであるか否かが判断される。当該蓄積型情報が民間サービスの提供によるものではないと判断されると（ステップＳ３０５；ＮＯ）、処理はステップＳ３０７の再生処理へ移行する。
【００７７】
一方、処理対象の蓄積型情報が民間サービスの提供によるものであると判断されると（ステップＳ３０５；ＹＥＳ）、コンテンツ情報記憶部２５１において到達した情報提供エリア（即ち、現在位置を含む情報提供エリア）の情報提供位置情報に再生済みフラグが対応付けて記憶されているか否かが判断される。再生済みフラグが対応付けられていると判断されると（ステップＳ３０６；ＹＥＳ）、処理はステップＳ３０９に移行する。再生済みフラグが対応付けられていないと判断されると（ステップＳ３０６；ＮＯ）、処理はステップＳ３０７に移行し、再生処理が行われる。
【００７８】
ステップＳ３０７の再生処理においては、処理対象の蓄積型情報のコンテンツ実データに基づいて、音声出力部２３及び／又は表示部２２によりコンテンツが再生される。そして、コンテンツ情報記憶部２５１において、再生された情報提供エリアの情報提供位置情報に対応付けて、再生済みフラグ及び再生日時情報（現在日時）が記憶され（ステップＳ３０８）、処理はステップＳ３０９に移行する。
【００７９】
ステップＳ３０９においては、コンテンツ情報記憶部２５１に記憶されている蓄積型情報の全データについて、ステップＳ３０１〜Ｓ３０８が完了したか否かが判断され、完了していないと判断されると（ステップＳ３０９；ＮＯ）、処理はステップＳ３０１に戻る。コンテンツ情報記憶部２５１に記憶されている蓄積型情報の全データについて、ステップＳ３０１〜Ｓ３０８が完了したと判断されると（ステップＳ３０９；ＹＥＳ）、処理は図６のステップＳ４に移行する。
【００８０】
図１２に、図６のステップＳ５において制御部２０により実行されるアイコン表示判断処理（アイコン表示判断処理Ｂとする）を示す。
まず、コンテンツ情報記憶部２５１に記憶されている蓄積型情報のデータから処理対象となる一の蓄積型情報のデータが選択される（ステップＳ４０１）。
【００８１】
次いで、処理対象の蓄積型情報の有効期限情報と図示しない計時回路より出力される現在日時とが比較され、当該蓄積型情報が有効期限内であるか否かが判断される。当該蓄積型情報が有効期限内ではないと判断されると（ステップＳ４０２；ＮＯ）、コンテンツ情報記憶部２５１から当該蓄積型情報のデータが削除され（ステップＳ４０３）、処理はステップＳ４１２に移行する。
【００８２】
一方、処理対象の蓄積型情報が有効期限内であると判断されると（ステップＳ４０２；ＹＥＳ）、当該蓄積型情報の情報提供者コードが参照され、情報提供者コードに基づいて当該蓄積型情報が民間サービスの提供によるものであるか否かが判断される。当該蓄積型情報が民間サービスの提供によるものではないと判断されると（ステップＳ４０４；ＮＯ）、処理はステップＳ４０６のアイコン描画処理に移行する。
【００８３】
一方、処理対象の蓄積型情報が民間サービスの提供によるものであると判断されると（ステップＳ４０４；ＹＥＳ）、当該蓄積型情報の情報提供エリアのうち、図６のステップＳ１で探索された走行ルート上にある情報提供エリアが特定され、コンテンツ情報記憶部２５１において、この特定された情報提供エリアの情報提供位置情報に再生済みフラグが対応付けて記憶されているか否かが判断される。再生済みフラグが対応付けられていないと判断されると（ステップＳ４０５；ＮＯ）、処理はステップＳ４０６に移行し、アイコン描画処理が行われる。再生済みフラグが対応付けられていると判断されると（ステップＳ４０５；ＹＥＳ）、処理はステップＳ４０７に移行する。
【００８４】
ステップＳ４０６のアイコン描画処理は、図９、１０を用いて第１の実施の形態で説明したアイコン描画処理と同じであるので説明を省略する。アイコン描画処理後、処理はステップＳ４１２に移行する。
【００８５】
一方、ステップＳ４０７においては、ステップＳ４０５で特定された情報提供エリアの情報提供位置情報に対応付けて記憶されている再生日時情報が参照され、この情報提供エリアにおける前回のコンテンツ情報の再生日時が確認される。そして、前回のコンテンツ再生日時から予め定められた基準時間、例えば、２４時間が経過したか否かが判断され、基準時間経過していないと判断されると（ステップＳ４０８；ＮＯ）、処理はステップＳ４０９に移行し、ステップＳ４０５で特定された情報提供エリアの情報提供位置情報の再生日時情報が現在日時に更新される。ここで、ステップＳ４０９におけるコンテンツ再生日時の更新は、何度も同じ情報提供エリアを通過する場合に何度も同じ情報が提供されユーザに煩わしさを与えることを低減するために行われる。この処理により、例えば、Ａ地点で１２時間前に一度コンテンツを再生した後Ａ地点付近を通過し、更に１５時間後にＡ地点付近を通過したような場合に、３回目の通過時点で前回通過から１５時間しか経過していないのにも拘わらず再生済みのコンテンツについてのアイコンが表示されることが防止される。
【００８６】
一方、前回のコンテンツ再生日時から予め定められた基準時間、例えば、２４時間が経過したと判断されると（ステップＳ４０８；ＹＥＳ）、アイコン描画処理が実行され（ステップＳ４１０）、ステップＳ４０５で特定された情報提供エリアの情報提供位置情報の再生日時情報が現在日時に更新され（ステップＳ４１１）、処理はステップＳ４１２に移行する。ここで、アイコン描画処理は、図９、１０を用いて第１の実施の形態で説明したアイコン描画処理と同じであるので説明を省略する。また、本実施の形態のデータ再生処理においては、コンテンツ再生判断処理Ｂにおいて、民間サービスで再生済みのコンテンツについては、前回のコンテンツ再生日時から予め定められた基準時間が経過しているか否かにかかわらずコンテンツの再生は行われず、そのコンテンツについての事象発生位置を示すアイコンのみが提供される。そこで、アイコン表示判断処理Ｂにおいて再生済みのコンテンツについてのアイコンが表示された場合には、そのコンテンツについての情報提供が終了したとみなして再生日時を更新する。
【００８７】
ステップＳ４１２においては、コンテンツ情報記憶部２５１に記憶されている蓄積型情報の全データについて、ステップＳ４０１〜Ｓ４１１が完了したか否かが判断され、完了していないと判断されると（ステップＳ４１２；ＮＯ）、処理はステップＳ４０１に戻る。コンテンツ情報記憶部２５１に記憶されている蓄積型情報の全データについて、ステップＳ４０１〜Ｓ４１１が完了したと判断されると（ステップＳ４１２；ＹＥＳ）、処理は図６のステップＳ６に移行する。
【００８８】
以上説明したように、第２の実施の形態におけるナビゲーション装置２によれば、制御部２０は、蓄積型情報が既に再生された情報提供エリアにおいては、その蓄積型情報の再生を行わず、その蓄積型情報の事象発生位置や情報提供エリアを示すアイコンを表示部２２の地図画面上に表示する制御を行う。
【００８９】
従って、一度再生された蓄積型情報のコンテンツが再度再生されることによるユーザの煩わしさを低減しつつ、ユーザにコンテンツが存在することを示す情報を提供することができる。
【００９０】
なお、再生済みの蓄積型情報のアイコン表示については、第２の実施の形態で示した判断基準を設けずに、一律に表示するようにしてもよいが、第２の実施の形態で示したように、蓄積型情報が有効期限内であるか否か、情報提供者が民間サービスであるか否か、前回再生時から所定時間経過したか否か等の予め定められた判断基準に基づいて、既に再生済みの蓄積型情報のアイコンを表示するか否かを判断し、判断結果に応じてアイコン表示を行うようにしてもよい。このようにすれば、ユーザに煩わしさを与えることを更に低減することができる。また、アイコンを表示させるか否かの判断基準は、蓄積型情報が有効期限内であるか否か、情報提供者が民間サービスであるか否か、前回再生時から所定時間経過したか否か等の予め定められた判断基準の中から一又は複数を組み合わせて操作入力部２１から任意に設定できるようにし、制御部２０が設定に応じて再生済みの蓄積型情報の事象発生位置にアイコンを表示するか否かの判断を行うようにしてもよい。
【００９１】
〔第３の実施の形態〕
次に、本発明に係る第３の実施の形態について説明する。第３の実施の形態における構成は、第１の実施の形態と略同様であるので説明を援用し、異なる部分について以下に説明する。
【００９２】
第３の実施の形態において、コンテンツ情報記憶部２５１は、記憶されている蓄積型情報の各情報提供位置情報に対応付けて、その情報提供位置情報が示す情報提供エリアにおいてコンテンツ情報が再生された際に設定される再生済みフラグ及び再生回数情報を記憶する。再生回数情報の初期値は０が記憶されている。
【００９３】
また、第３の実施の形態において制御部２０により実行されるデータ再生処理は、第１の実施の形態において図６を参照して説明したものと略同様であるが、ステップＳ３において実行されるコンテンツ再生判断処理が異なる。
【００９４】
図１３に、図６のステップＳ３において制御部２０により実行されるコンテンツ再生判断処理（コンテンツ再生判断処理Ｃとする）を示す。
まず、コンテンツ情報記憶部２５１に記憶されている蓄積型情報のデータから処理対象となる一の蓄積型情報のデータが選択される（ステップＳ５０１）。次いで、処理対象の蓄積型情報に含まれる情報提供位置情報が一つずつ参照され、情報提供位置情報、ＧＰＳモジュール２６及び自律航法ユニット２７の出力に基づいて、処理対象の蓄積型情報の情報提供エリアに到達したか否かが判断され、情報提供エリアに到達していないと判断されると（ステップＳ５０２；ＮＯ）、処理はステップＳ５１１に移行する。
【００９５】
一方、処理対象の蓄積型情報の情報提供エリアに到達したと判断されると（ステップＳ５０２；ＹＥＳ）、処理対象の蓄積型情報の有効期限情報と図示しない計時回路より出力される現在日時とが比較され、当該蓄積型情報が有効期限内であるか否かが判断される。当該蓄積型情報が有効期限内ではないと判断されると（ステップＳ５０３；ＮＯ）、コンテンツ情報記憶部２５１から当該蓄積型情報のデータが削除され（ステップＳ５０４）、処理はステップＳ５１１に移行する。
【００９６】
一方、処理対象の蓄積型情報が有効期限内であると判断されると（ステップＳ５０３；ＹＥＳ）、当該蓄積型情報の情報提供者コードが参照され、情報提供者コードに基づいて当該蓄積型情報が民間サービスの提供によるものであるか否かが判断される。当該蓄積型情報が民間サービスの提供によるものではないと判断されると（ステップＳ５０５；ＮＯ）、処理はステップＳ５０９の再生処理へ移行する。
【００９７】
一方、処理対象の蓄積型情報が民間サービスの提供によるものであると判断されると（ステップＳ５０５；ＹＥＳ）、コンテンツ情報記憶部２５１において到達した情報提供エリア（即ち、現在位置を含む情報提供エリア）の情報提供位置情報に再生済みフラグが対応付けて記憶されているか否かが判断される。再生済みフラグが対応付けられていないと判断されると（ステップＳ５０６；ＮＯ）、処理はステップＳ５０９に移行し、再生処理が行われる。再生済みフラグが対応付けられていると判断されると（ステップＳ５０６；ＹＥＳ）、処理はステップＳ５０７に移行する。
【００９８】
ステップＳ５０７においては、到達した情報提供エリア（即ち、現在位置を含む情報提供エリア）の情報提供位置情報に対応付けて記憶されている再生回数情報が参照され、この情報提供エリアにおけるコンテンツ再生回数が確認される。そして、コンテンツの再生回数が予め定められた基準回数（例えば、３回）以上であるか否かが判断され、基準回数以上ではないと判断されると（ステップＳ５０８；ＮＯ）、処理はステップＳ５０９に移行し、基準回数以上であると判断されると（ステップＳ５０８；ＹＥＳ）、処理はステップＳ５１１に移行する。
【００９９】
ステップＳ５０９においては、処理対象の蓄積型情報のコンテンツ実データに基づいて、音声出力部２３及び／又は表示部２２によりコンテンツが再生される。そして、コンテンツ情報記憶部２５１において、再生された情報提供エリアの情報提供位置情報に対応付けて、再生済みフラグ（未設定の場合）が記憶されるとともに及び再生回数情報が１インクリメントされ（ステップＳ５１０）、処理はステップＳ５１１に移行する。
【０１００】
ステップＳ５１１においては、コンテンツ情報記憶部２５１に記憶されている蓄積型情報の全データについて、ステップＳ５０１〜Ｓ５１０が完了したか否かが判断され、完了していないと判断されると（ステップＳ５１１；ＮＯ）、処理はステップＳ５０１に戻る。コンテンツ情報記憶部２５１に記憶されている蓄積型情報の全データについて、ステップＳ５０１〜Ｓ５１０が完了したと判断されると（ステップＳ５１１；ＹＥＳ）、処理は図６のステップＳ４に移行する。
【０１０１】
以上説明したように、第３の実施の形態におけるナビゲーション装置２によれば、制御部２０は、蓄積型情報が有効期限内であるか否か、情報提供者が民間サービスであるか否か、蓄積型情報の再生回数が予め定められた基準回数以上であるか否か等の予め定められた判断基準に基づいて、到達した情報提供エリアにおいて既に再生済みの蓄積型情報のコンテンツを再度再生するか否かを判断し、判断結果に応じて表示部２２や音声出力部２３等の再生手段にコンテンツを再度再生させるか否かを制御する。
【０１０２】
従って、蓄積型情報を何度も再生することによりユーザに与える煩わしさを低減しつつ効率的に再利用することが可能となる。
【０１０３】
なお、再生済みの蓄積型情報を再度再生するか否かの判断基準は、蓄積型情報が有効期限内であるか否か、情報提供者が民間サービスであるか否か、その蓄積型情報の再生回数は基準回数以上か等の予め定められた判断基準の中から一又は複数を組み合わせて操作入力部２１から任意に設定できるようにし、制御部２０が設定に応じて再生済みの蓄積型情報を再度再生するか否かの判断を行うようにしてもよい。
【０１０４】
〔第４の実施の形態〕
次に、本発明に係る第４の実施の形態について説明する。第４の実施の形態における構成は、第１の実施の形態と略同様であるので説明を省略し、異なる部分について以下に説明する。
【０１０５】
第４の実施の形態において、コンテンツ情報記憶部２５１は、記憶されている蓄積型情報の各情報提供位置情報に対応付けて、その情報提供位置情報が示す情報提供エリアにおいてコンテンツ情報が再生された際に設定される再生済みフラグ及び再生回数情報を記憶する。再生回数情報の初期値は０が記憶されている。
【０１０６】
また、第４の実施の形態において制御部２０により実行されるデータ再生処理は、第１の実施の形態において図６を参照して説明したものと略同様であるが、ステップＳ３において実行されるコンテンツ再生判断処理及びステップＳ５において実行されるアイコン表示判断処理が異なる。
【０１０７】
なお、ステップＳ３において実行されるコンテンツ再生判断処理は、第２の実施の形態において図１１を参照して説明したコンテンツ再生判断処理Ｂと略同様であり、ステップＳ３０８において再生日時に代えて再生回数が１インクリメントされる点のみが異なる。その他は図９と同様であるので説明を省略し、本実施の形態のステップＳ５において実行されるアイコン表示判断処理（アイコン表示判断処理Ｃとする）について説明する。
【０１０８】
図１４に、図６のステップＳ５において制御部２０により実行されるアイコン表示判断処理（アイコン表示判断処理Ｃ）を示す。
まず、コンテンツ情報記憶部２５１に記憶されている蓄積型情報のデータから処理対象となる一の蓄積型情報のデータが選択される（ステップＳ６０１）。
【０１０９】
次いで、処理対象の蓄積型情報の有効期限情報と図示しない計時回路より出力される現在日時とが比較され、当該蓄積型情報が有効期限内であるか否かが判断される。当該蓄積型情報が有効期限内ではないと判断されると（ステップＳ６０２；ＮＯ）、コンテンツ情報記憶部２５１から当該蓄積型情報のデータが削除され（ステップＳ６０３）、処理はステップＳ６１１に移行する。
【０１１０】
一方、処理対象の蓄積型情報が有効期限内であると判断されると（ステップＳ６０２；ＹＥＳ）、当該蓄積型情報の情報提供者コードが参照され、情報提供者コードに基づいて当該蓄積型情報が民間サービスの提供によるものであるか否かが判断される。当該蓄積型情報が民間サービスの提供によるものではないと判断されると（ステップＳ６０４；ＮＯ）、処理はステップＳ６０６のアイコン描画処理に移行する。
【０１１１】
一方、処理対象の蓄積型情報が民間サービスの提供によるものであると判断されると（ステップＳ６０４；ＹＥＳ）、当該蓄積型情報の情報提供エリアのうち、図６のステップＳ１で探索された走行ルート上にある情報提供エリアが特定され、コンテンツ情報記憶部２５１において、この特定された情報提供エリアの情報提供位置情報に再生済みフラグが対応付けて記憶されているか否かが判断される。再生済みフラグが対応付けられていないと判断されると（ステップＳ６０５；ＮＯ）、処理はステップＳ６０６に移行し、アイコン描画処理が行われる。再生済みフラグが対応付けられていると判断されると（ステップＳ６０５；ＹＥＳ）、処理はステップＳ６０７に移行する。
【０１１２】
ステップＳ６０６のアイコン描画処理は、図９、１０を用いて第１の実施の形態で説明したアイコン描画処理と同じであるので説明を省略する。アイコン描画処理後、処理はステップＳ６１２に移行する。
【０１１３】
一方、ステップＳ６０７においては、ステップＳ６０５で特定された情報提供エリアの情報提供位置情報に対応付けて記憶されている再生回数情報が参照され、この情報提供エリアにおける再生回数（アイコンの再生も含む）が確認される。そして、再生回数が予め定められた基準回数（例えば、３回）以上であるか否かが判断され、基準回数以上であると判断されると（ステップＳ６０８；ＹＥＳ）、処理はステップＳ６１１に移行する。
【０１１４】
一方、再生回数が予め定められた基準回数を以上ではないと判断されると（ステップＳ６０８；ＮＯ）、アイコン描画処理が実行され（ステップＳ６０９）、ステップＳ６０５で特定された情報提供エリアの情報提供位置情報の再生回数情報が１インクリメントされ、処理はステップＳ６１１に移行する。アイコン描画処理は、図９、１０を用いて第１の実施の形態で説明したアイコン描画処理と同じであるので説明を省略する。また、本実施の形態のデータ再生処理においては、コンテンツ再生判断処理において、民間サービスで再生済みのコンテンツについては、再生回数が基準回数に達しないものであってもコンテンツの再生は行われず、そのコンテンツについてのアイコンのみが提供される。そこで、アイコン描画処理において再生済みのコンテンツについてのアイコンが表示された場合には、そのコンテンツについての情報提供が終了したとみなして再生回数を更新する。
【０１１５】
ステップＳ６１１においては、コンテンツ情報記憶部２５１に記憶されている蓄積型情報の全データについて、ステップＳ６０１〜Ｓ６１０が完了したか否かが判断され、完了していないと判断されると（ステップＳ６１１；ＮＯ）、処理はステップＳ６０１に戻る。コンテンツ情報記憶部２５１に記憶されている蓄積型情報の全データについて、ステップＳ６０１〜Ｓ６１０が完了したと判断されると（ステップＳ６１１；ＹＥＳ）、処理は図６のステップＳ６に移行する。
【０１１６】
以上説明したように、第４の実施の形態におけるナビゲーション装置２によれば、制御部２０は、蓄積型情報が既に再生された情報提供エリアにおいては、その蓄積型情報の再生を行わず、その蓄積型情報の事象発生位置、情報提供エリアを示す画像情報を表示部２２の地図画面上に表示する制御を行う。
【０１１７】
従って、一度蓄積型情報のコンテンツが再生された情報提供エリアにおいて同じコンテンツが再度再生されることによりユーザに与える煩わしさを低減しつつ、ユーザにコンテンツの事象発生位置や情報提供エリアの情報を提供することができる。また、事象発生位置や情報提供エリアのアイコンを表示する際においても、基準回数以上はアイコンを表示が行われないように制御するので、ユーザに与える煩わしさを更に低減することができる。
【０１１８】
なお、アイコンを表示させるか否かの判断基準は、蓄積型情報が有効期限内であるか否か、情報提供者が民間サービスであるか否か、その蓄積型情報の再生回数が基準回数以上であるか否か等の予め定められた判断基準の中から一又は複数を組み合わせて操作入力部２１から任意に設定できるようにし、制御部２０が設定に応じて再生済みの蓄積型情報の事象発生位置や情報提供エリアにアイコンを表示するか否かの判断を行うようにしてもよい。
【０１１９】
以上、第１〜第４の実施の形態について説明してきたが、上記実施の形態における記述は、本発明に係るナビゲーション装置の一例であり、これに限定されるものではない。
【０１２０】
例えば、上記実施の形態では、ＤＳＲＣに基づく通信により蓄積型情報を受信することとして説明したが、これに限定されず、例えば、無線ＬＡＮ（Local Area Network）、パケット通信等により受信する構成としてもよい。
【０１２１】
また、上記実施の形態においては、蓄積型情報に有効期限が含まれている場合を例にとり説明したが、蓄積型情報は有効期限をもたない構成であってもよい。この場合、コンテンツ再生判断処理及びアイコン表示判断処理は、有効期限内であるか否かの判断を飛ばすフローとしてもよい。
【０１２２】
その他、上記実施の形態におけるナビゲーション装置２の細部構成及び詳細動作に関しても、本発明の趣旨を逸脱しない範囲で適宜変更可能である。
【図面の簡単な説明】
【０１２３】
【図１】本発明に係る実施の形態のＤＳＲＣシステム及びナビゲーション装置の概要を示す図である。
【図２】図１のナビゲーション装置の機能的構成を示すブロック図である。
【図３】コンテンツ情報の事象発生位置及び情報提供エリアを説明するための図である。
【図４】情報提供エリア内で表示部により再生されるコンテンツの一例を示す図である。
【図５】図１のサーバから配信されるコンテンツ情報のデータフォーマットの一例を示す図である。
【図６】図２の制御部により実行されるデータ再生処理を示すフローチャートである。
【図７】図２の制御部により実行されるコンテンツ再生判断処理Ａを示すフローチャートである。
【図８】図２の制御部により実行されるアイコン表示判断処理Ａを示すフローチャートである。
【図９】図２の制御部により実行されるアイコン描画処理を示すフローチャートである。
【図１０】図２の制御部により実行されるアイコン描画処理を示すフローチャートである。
【図１１】図２の制御部により実行されるコンテンツ再生判断処理Ｂを示すフローチャートである。
【図１２】図２の制御部により実行されるアイコン表示判断処理Ｂを示すフローチャートである。
【図１３】図２の制御部により実行されるコンテンツ再生判断処理Ｃを示すフローチャートである。
【図１４】図２の制御部により実行されるアイコン表示判断処理Ｃを示すフローチャートである。
【符号の説明】
【０１２４】
１００  ＤＳＲＣシステム
１１〜１ｎ  路側無線装置
２  ナビゲーション装置
３  サーバ
２０  制御部
２１  操作入力部
２２  表示部
２３  音声出力部
２４  ハードディスク装置
２４１  地図ＤＢ
２４２  案内図ＤＢ
２４３  案内音声ＤＢ
２４４  施設情報ＤＢ
２５  受信情報記憶部
２５１  コンテンツ情報記憶部
２６  ＧＰＳモジュール
２７  自律航法ユニット
２８  ＶＩＣＳモジュール
２９  ＤＳＲＣ送受信部
【図１】
0005050769.tif 000002
【図２】
0005050769.tif 000003
【図３】
0005050769.tif 000004
【図４】
0005050769.tif 000005
【図５】
0005050769.tif 000006
【図６】
0005050769.tif 000007
【図７】
0005050769.tif 000008
【図８】
0005050769.tif 000009
【図９】
0005050769.tif 000010
【図１０】
0005050769.tif 000011
【図１１】
0005050769.tif 000012
【図１２】
0005050769.tif 000013
【図１３】
0005050769.tif 000014
【図１４】
0005050769.tif 000015